(57)【要約】      （修正有）【課題】新型コロナウィルス対策として、飲食する時に装着したままで、飛沫やウィルスの飛散を防止するフェイスシールドを提供する。【解決手段】額で固定される気泡発泡材料のベース部３Ａと透明フィルム２でなされたフェイスシールド１であって、ベース部の額中央部と透明フィルムまでの距離が１１ｃｍ〜１６ｃｍであるか、或いは、この距離が２ｃｍ〜１０ｃｍであり且つ透明フィルムの接着面がベース部の垂直方向に対して３０度〜５０度の角度を有するよう透明フィルムの穴を額部より左右部の穴の方が面の上に位置し、当該ベース部の額固定部の幅が２ｃｍ〜５ｃｍであり、透明フィルム面の大きさが横の長さが３０ｃｍ〜５０ｃｍ、且つ縦の長さが２０ｃｍ〜３０ｃｍである。【選択図】図２
0003234086.tif 000002
【実用新案登録請求の範囲】
【請求項１】
額で固定される気泡発泡材料のベース部（３）と透明フィルム（２）でなされたフェイスシールドであって、
当該ベース部（３）の額中央部と透明フィルムまでの距離が１１ｃｍ〜１６ｃｍであるか、或いはベース部（３）が２ｃｍ〜１０ｃｍであり、且つ透明フィルム（２）の接着面がベース部（３）の垂直方向に対して３０度〜５０度の角度を有するよう透明フィルムの穴を額部より左右部の穴の方が面の上に位置し、
当該ベース部の額固定部の幅が２ｃｍ〜５ｃｍであり、透明フィルム面の大きさが横の長さが３０ｃｍ〜５０ｃｍ、且つ縦の長さが２０ｃｍ〜３０ｃｍであることを特徴とするフェイスシールド。
【請求項２】
前記気泡発泡体材料がポリウレタン発泡体又はポリエチレン発泡体であることを特徴とする、請求項１に記載のフェイスシールド。
【請求項３】
フェイスシールドの透明フィルムの裏面の口や鼻が当たる部分に水分が含侵されたガーゼやウエットティッシュなどが設けられてなることを特徴とする、請求項１または請求項２に記載のフェイスシールド。
【請求項４】
フェイスシールドの透明フィルムの裏面、ガーゼ、或いはウエットティッシュに、銀イオンの溶液を噴霧などでコーティングしたことを特徴とする、請求項１ないし請求項３のいずれか一項に記載のフェイスシールド。
【考案の詳細な説明】
【技術分野】
【０００１】  本考案は新型コロナウィルス対策等での飲食時にも使用可能なフェイスシールドに関する。
【背景技術】
【０００２】  コロナ禍に於ける飲食時の留意点として、マスクをしながら飲食をするとの指導がなされ、会話のときはマスクを装着し、飲食時はそのマスクを外して飲食を行い、すぐまたマスクを装着して会話をするなどが推奨されている。しかしながら、習慣や不便さからより簡単に飲食時に使える飛沫防止する方法が望まれている。【０００３】  飛沫防止の一つにフェイスシールドがあり、従来医療現場で用いられてきている。しかしながら、会話等で自分の口からの飛沫を飛ばさないために、また他人の会話の時の飛沫等を防御するため、飲食をする時はいちいちそれを外して飲食を行わなければならなかった【０００４】  飲食可能なフェイスシールドとして、特許文献１（実用新案登録第３２３０４９９号）が提案されている。当該フェイスシールドは、使用局面に応じて保護シート部材の跳ね上げ角度を任意の調節位置で跳ね上げて保持しその間に飲食を行うということであるが、飲食をする時には口の部分のフェイスシールドが跳ね上がっている為に、相互の食事時や会話時の相互の飛沫感染のリスクに対して十分とは言えない。【０００５】また、装着者が容易に水分補給が可能なフェイスガードとして、特許文献２（実用新案登録第３２２９２７９号）が提案されている。当該フェイスガードは、その表面の一部が折れ曲がり、一部が特に口の周りの部分が折れ曲がり解放される状態になるので、その状態において飲食をすることは可能であったとしても、特に口の周りが解放されているので相互の飛沫やウィルスの防御としては十分ではなかった。【０００６】  インターネット上でも飲食可能なフェイスシールドがいくつか散見される。しかしながら、飛沫防止の点を考慮し、かつ飲食スペースを設ける際、シールド部分の縦サイズを３０ｃｍより大きくする必要があるため、操作性の点や顔前のスペースを必要とする点から、より手軽に飲食可能な空間をつくれるフェイスシールドが望まれていた。
【先行技術文献】
【特許文献】
【０００７】
【特許文献１】実用新案登録第３２３０４９９号公報
【特許文献２】実用新案登録第３２２９２７９号公報
【考案の概要】
【考案が解決しようとする課題】
【０００８】  本考案の目的は、上記従来技術にあるような課題解決のための手段を提供することであり、新型コロナウィルス対策として、飲食する時にフェイスシールドを装着したままで、飛沫やウィルスの飛散を防止する手段を提供することである。
【課題を解決するための手段】
【０００９】  本考案者は、以下の構成により、上記課題を解決できることを見出した。【００１０】  すなわち、本考案は以下の態様を包含する。
＜１＞
額で固定される気泡発泡材料のベース部（３）と透明フィルム（２）でなされたフェイスシールドであって、
当該ベース部（３）の額中央部と透明フィルムまでの距離が１１ｃｍ〜１６ｃｍであるか、或いはベース部（３）が２ｃｍ〜１０ｃｍであり、且つ透明フィルム（２）の接着面がベース部（３）の垂直方向に対して３０度〜５０度の角度を有するよう透明フィルムの穴を額部より左右部の穴の方が面の上に位置し、
当該ベース部の額固定部の幅が２ｃｍ〜５ｃｍであり、透明フィルム面の大きさが横の長さが３０ｃｍ〜５０ｃｍ、且つ縦の長さが２０ｃｍ〜３０ｃｍであることを特徴とするフェイスシールド。【００１１】  ＜２＞
前記気泡発泡体材料がポリウレタン発泡体又はポリエチレン発泡体であることを特徴とする、前記態様＜１＞に記載のフェイスシールド。【００１２】  ＜３＞
フェイスシールドの透明フィルムの裏面の口や鼻が当たる部分に水分が含侵されたガーゼやウエットティッシュなどが設けられてなることを特徴とする、前記態様＜１＞または態様＜２＞に記載のフェイスシールド。【００１３】  ＜４＞
フェイスシールドの透明フィルムの裏面、ガーゼ、或いはウエットティッシュに、銀イオンの溶液を噴霧などでコーティングしたことを特徴とする、前記態様＜１＞ないし態様＜３＞のいずれか一態様に記載のフェイスシールド。
【考案の効果】
【００１４】  本考案によれば、頭部に装着することにより顔の前面部分にある透明なフィルムにより、相互の飛沫等を防御することができ、且つ透明フィルムの裏面と口との空間の距離が１１ｃｍ〜１６ｃｍ設けられているため、フェイスシールドを装着したままで飲食することができる。【００１５】  フェイスシールドの裏面と顔の前面の口や鼻との間には飲食が可能な空間が設けられており、飲食を行うには十分な空間が設定されている。なおフェイスシールドの裏面には、水分等により湿らせたガーゼやウエットティッシュが設置されており、人との会話や飲食時における飛沫を防御することを可能にし、空気中のウィルスや人の飛沫なども水分を含んだガーゼやウエットティッシュにより飛び散ることが少なくなり、又吸着されることが期待される。また、銀イオンの溶液を透明フィルムの裏面に噴霧することにより、抗菌、防臭、ウィルス対策の効果を高めることが期待される。
【図面の簡単な説明】
【００１６】
【図１】  実施の形態の基本となるフェイスシールドの斜視図である。
【図２】  透明シートの裏面と口との距離を１１ｃｍ〜１６ｃｍ離れるようにベース部（３）が設けられたフェイスシールドの斜視図である。
【図３】  （図２）のフェイスシールドの透明シートの裏面に、ガーゼないしウエットティッシュが設けられたフェイスシールドの斜視図である。
【図４】  透明シートがフェイスシールドのベース部（３）から３０度〜５０度の角度が設けられたフェイスシールドの斜視図である。
【図５】  （図４）のフェイスシールドの透明シートの裏面にガーゼないしウエットティッシュが設けられたフェイスシールドの斜視図である。
【図６】  （図２）に於けるベース部３Ａのポリエチレン発砲体の６２の位置に結束する為にゴムバンドが巻かれた図である。
【図７】  透明フィルムシートの裁断された平面図である。（ａ）図１に用いる透明フィルムシード、（ｂ）図２に用いる透明フィルムシート、（ｃ）図４に用いる透明フィルムシート、及び（ｄ）図２に用いる透明フィルムシートであって、ベース部に固定する穴が５つのもの図を示す。
【考案を実施するための形態】
【００１７】以下本考案の実施形態に係るフェイスシールドについて図を用いて説明を行う。
本考案において、「気泡発泡材料」とは、ポリマー発泡材料から選択され、当該気泡発泡ポリマー材料の例には、フェノール樹脂発泡体、ポリスチレン発泡体、ポリウレタン発泡体、ポリエチレン発泡体、ポリ塩化ビニル発泡体、ポリ酢酸ビニル発泡体、ポリエステル発泡体、ポリエーテル発泡体、および、発泡体ゴムが挙げられる。より好適な気泡発泡材料はポリエチレン発泡体である。本考案には、独立気泡発泡材料のほうが好ましく、気泡はきめ細かく柔軟性、復元性、優れた緩衝性、断熱性、浮揚性、耐候性、耐薬品性がある。例えば、ポリエチレン発泡体（フォーム）とは。ポリエチレン樹脂（ＬＤＰＥ・ＥＶＡ）を基材として発泡させた化学架橋型のフォームである。
【００１８】  本考案において、「ベース部」とは、前記「気泡発泡材料」の発泡体の平板を、金型を用いて、透明フィルムを保持するための突起部を有し、円形でその一部が離れているカチューシャ型に成型された、頭部に保持する為の部材を示す。当該突起部の形や数は、ベース部に透明フィルムを保持させることができれば特に制限はないが、後述する図に示すように四角で三つの突起が例示される。この突起部を透明フィルムに形成された穴に通すことで固定され、一体のフェイスガードとする。ベース部の一部離れている部分には、ベース部ポリエチレン発砲体のゴムを止める突起部を設けることができ、当該部分には、結束するための輪ゴム又はゴムバンド等を用いることで、頭部への保持を強固にすることが可能である。
【００１９】  本考案で使用するベース部の厚みは１０ｍｍ〜２０ｍｍが適しており、１３ｍｍ〜１７ｍｍの厚さがより適している。
【００２０】  本考案において、「透明フィルム」とは、例えば、ポリエチレンテレフタレート（ＰＥＴ）、ポリエチレン（ＰＥ）、ポリプロピレン（ＰＰ）、ポリスチレン（ＰＳ）、アクリル樹脂（ＰＭＭＡ）、アクリロニトリルブタジエンスチレン（ＡＢＳ）などが挙げられる材料で形成され、透明度、堅牢度、薄さなど適宜選択される。透明フィルムの厚さは、０．２〜０．８ｍｍが適しており、０．３〜０．５ｍｍの厚さがより適している。また、その大きさは、縦２０ｃｍ〜３０ｃｍ、横３０ｃｍ〜５０ｃｍで形成され、その形は四角でも台形でも良い。またその一部が、アールの形状が施されていてもよい。透明フィルムとしては、無色透明フィルムが好ましく用いられるが、有色透明フィルムを用いることもできる。また、着色により一部が不透明となっているフィルムを用いることもできる。また、透明フィルムは、単層構造であってもよいし、複数の層が積層された積層構造であってもよい。
【００２１】  本考案において、当該ベース部（３）の額中央部と透明フィルムまでの距離が１１ｃｍ〜１６ｃｍとなるようにベース部を成型するだけでなく、ベース部（３）が２ｃｍ〜１０ｃｍであっても、透明フィルム（２）の接着面がベース部（３）の垂直方向に対して３０度〜５０度の角度を有するように、透明フィルムの穴を額部より左右部の穴の方が面の上に位置するように調整することで、口と透明フィルムの裏面との間の空間が１１〜１６ｃｍほどになるように設けることが可能である。より具体的には、図７の（ｃ）の透明フィルムの形状と穴の位置の透明フィルムが例示される。
【００２２】  図１は実施の基本になる形態のフェイスシールドの全体を示す斜視図である。図１に於けるフェイスシールドは主に透明なフィルム１の裏面の上部にポリエチレン発砲体のベース部材（３）によって構成されている。ここで使用するベース部ポリエチレン発砲体（３）はその硬度は１５倍〜３０倍が適している。又その厚みは１０ｍｍ〜２０ｍｍが適しているが１３ｍｍ〜１７ｍｍの厚さがより適している。
【００２３】  本考案のフェイルシールドにおいて、透明フィルムの裏面の口や鼻が当たる部分に水分が含侵されたガーゼやウエットティッシュなどを設けて、人との会話や飲食時における飛沫を防御することを可能にし、空気中のウィルスや人の飛沫なども水分を含んだガーゼやウエットティッシュにより飛び散ることが少なくなり、又吸着されること可能である。また、銀イオンの溶液を透明フィルムの裏面に噴霧することにより、抗菌、防臭、ウィルス対策の効果を高めることが可能である。
【００２４】  本発明の考案において、銀イオンの溶液は、当該目的に応じて、適宜、濃度、噴霧状態などを考慮して、市販の製品等を適宜調整することが可能である。
【００２５】  図１に於いて、ポリエチレン発砲体（３）は、２〜３ｃｍの奥行の厚み（Ａ）で構成され、その奥行き、厚みの位置から透明フィルム（２）が真下に下がるように形成されている。概ね顔面の額の位置から目、鼻、口、あごを覆うように形成されている。２〜３ｃｍの奥行、厚みで透明フィルムが顔面に施されていれば、会話等による相互の飛沫の防御には適しているが飲食をする時には透明フィルムと顔面や口との空間は２〜３ｃｍしかないのでそのままで飲食は出来なかった。
【実施例】
【００２６】    ＜製造例＞
本考案のフェイスシールドは、１５ｍｍ厚のポリエチレン発砲体（三和加工株式会社、Ｌ−１４００）を金型で抜いて、図９のベース部を作成した。そのベース部の表面から真下の方向に透明フィルム（ジェイフィルム株式会社、Ａ−ＰＥＴシート、品名  Ａ３０２０）を取りつけて、一体のフェイスシールドとした。【００２７】    ＜試験例＞
製造例で形成したフェイスシールドについて、口とフェイスシールドとののフィルムとの距離（図３の３Ａの長さに相当）を下記表１のように、当該透明フィルムシートの裏面と口との距離を透明フィルムシートを遠ざけたり、近づけたりすることにより、その適切な距離を計測し、求めた。表１に、各条件での評価結果を示した。○：適切、△：やや不適切、×：不適切。【００２８】
【表１】
0003234086.tif 000003
【００２９】  表１に示した通り、口（顔）とフェイスシールドのフィルム面との距離（ｃｍ）は、１１ｃｍ〜１６ｃｍであることが、飲食時の空間として好ましいことが明らかとなった。【００３０】  図２に於いてポリエチレン発砲体（３）の幅（奥行Ａ）を１１ｃｍ〜１６ｃｍ（３Ａ）のものを使用し、フェイスシールドの透明フィルム１の位置が顔面や口の位置との間に食べ物が食べられ、飲み物が飲める１１ｃｍ〜１６ｃｍの空間を設けるように形成されたものである。【００３１】  図３は図２の飲食可能なフェイスシールドの透明なフィルムの裏面に水分を含んだガーゼやティッシュが設けられた図である。【００３２】  図４はポリエチレン発砲体２の奥行（厚み）は２〜１０ｃｍであるが透明フィルム１の取り付けられた角度が図１のように真下ではなく顔面（口）より１１ｃｍ〜１６ｃｍほどの空間が設けられるように角度がつけられて形成れている図である。その角度は図１で表されたポリエチレン発砲体（２）から真下に取り付けられた透明フィルムに対して図４で表された透明フィルムは垂直方向に対して３０度〜５０度の角度がつけられることで、口と透明フィルムの裏面との間の空間が１１〜１６ｃｍほどになるように設けられたものである。【００３３】  図５は図４の飲食可能なフェイスシールドの透明フィルムの裏面に水分を含んだガーゼやティッシュペーパーが設けられた図である。【００３４】  図６は、図２におけるベース部３Ａのポリエチレン発砲体の６２の位置に結束する為にゴムバンドが巻かれた図である。結束するには、ゴムバンドの他適宜簡便な方法を採用できる。【００３５】  図７は、透明フィルムシートの裁断された平面図である。（ａ）は、図１に用いる透明フィルムシートが示され、その形状を取るとフィルムシートはベース部から真下に下がるようになる。（ｂ）は、図２に用いる透明フィルムシートが示されており、縦２５ｃｍ、横４５ｃｍで、穴が３つあいたタイプ透明フィルムシートである。図２に示す通り、３Ａの額との接触中央部とフィルムシートの距離が１１．５ｃｍである場合であれば、十分な飲食可能な空間をつくることができる。（ｃ）は、図４に用いる透明フィルムシートであり、この形状と穴の位置にすることで、透明フィルム（２）の接着面がベース部（３）の垂直方向に対して３０度〜５０度の角度にでき、口と透明フィルムとの間に飲食可能な空間をつくることができる。穴の位置としては中央部の穴より上の穴の位置の方が上の位置になるように調整される。（ｄ）は、図２に用いる透明フィルムシートであって、ベース部に固定する穴が５つのもの図を示す。縦２５ｃｍ、横４５ｃｍであるが、横の長さをより長くとる場合、穴の数が多い方が透明フィルムシートがより安定化し、顔の横までシールドすることができる。飲食時の飛沫防止を考慮して、適宜横の長さを調節する。
【符号の説明】
【００３６】１      フェイスシールド
２      透明フィルム
３      ベース部ポリエチレン発砲体
３Ａ    奥行（幅）が１１ｃｍ〜１６ｃｍに形成されたベース部が設けられたポリエチレ        ン発砲体
４      ガーゼ又はティッシュペーパー
６１    ベース部ポリエチレン発砲体の突起部
６２    ベース部ポリエチレン発砲体のゴムを止める突起部である。
６３    ベース部ポリエステル発砲体を結束するための輪ゴム又はゴムバンド。
【図１】
0003234086.tif 000004
【図２】
0003234086.tif 000005
【図３】
0003234086.tif 000006
【図４】
0003234086.tif 000007
【図５】
0003234086.tif 000008
【図６】
0003234086.tif 000009
【図７】
0003234086.tif 000010